(57)【要約】【課題】  本発明は、養液土耕栽培に適したプランターを開発することを目的とする。【解決手段】  合成樹脂を素材として、底面部２と、側面部３とを一体に形成し、両端部を開放して適宜の深さと長さを具えた主体部材１を成形し、この主体部材の両端に適宜の連結手段６、７と、重ね合わせ部８とを設け、同形の主体部材を長さ方向に継ぎ足せるようにするととも、底面部２を、前後と左右から適宜に緩傾斜する斜面に形成し、斜面の底に排水孔９を設けた養液土耕栽培用プランターを提供する。【選択図】図１
2005245264.tif 000002
【特許請求の範囲】
【請求項１】
合成樹脂を素材として、底面部と、底面部の両側にそれぞれ連なって外側面にリブを配置した側面部と、側面部の上端の外側にそれぞれ連なる上縁部とを一体形成して、両端部を開放した適宜の深さと長さを有する溝状の主体部材を成形し、この主体部材の両端に適宜の連結手段を設けて、上記連結手段とそれぞれ一致する連結手段を両端に具えた同形の主体部材を長さ方向に継ぎ足せるように構成し、前記底面部を、前記主体部材の前後と左右から適宜に緩傾斜する斜面に形成し、該斜面の底に排水孔を設けてなる養液土耕栽培用プランター。
【請求項２】
前記主体部材は、前記連結手段を介して該主体部材の両端をそれぞれ閉鎖する端面部材と組み合されるように構成したことを特徴とする請求項１記載の養液土耕栽培用プランター。
【発明の詳細な説明】
【技術分野】
【０００１】
本発明は、養液土耕栽培用に用いられるプランターに関し、特に安価に製作できて容易に使用できるようにしたことを特長とするものである。
【背景技術】
【０００２】
近年、養液土耕栽培は、大量の養液を使用する水耕栽培に比べて栽培の管理が容易で養液の使用量が少なくて済むところから、一般に普及しつつある。
養液土耕栽培に関しては、例えば、特許文献１がある。また、水耕栽培用に形成した溝形の単位プランターを長さ方向に継ぎ足せるようにしたものには、例えば、特許文献２、３がある。
【０００３】
【特許文献１】特開２００１−６９８５６号公報
【特許文献２】特開平１０−１７８９４５号公報
【特許文献３】特開平１０−１７８９４６号公報
【０００４】
養液土耕栽培の栽培技術に関しては、例えば上記特許文献１があるが、養液土耕栽培に適したプランターが見当たらないのが現状である。
また、上記特許文献２、３には、水耕栽培用に作られたプランターが開示されているが、該プランターは、常時養液を循環させるように使用するもので養液土耕栽培用には適していない。
【発明の開示】
【発明が解決しようとする課題】
【０００５】
以上のことから、本発明が解決しようとする課題は、養液土耕栽培に適したプランターを開発することにあるとともに、栽培規模の大小にかかわらず養液土耕栽培ができ、管理の容易なプランターを開発することにある。
【課題を解決するための手段】
【０００６】
そこで本発明は、上記の課題を解決するために、合成樹脂を素材として、底面部と、底面部の両側にそれぞれ連なって外側面にリブを配置した側面部と、側面部の上端の外側にそれぞれ連なる上縁部とを一体形成して、両端部を開放した適宜の深さと長さを有する溝状の主体部材を成形し、この主体部材の両端にてきぎの連結手段を設けて、上記連結手段とそれぞれ一致する連結手段を両端に具えた同形の主体部材を長さ方向に継ぎ足せるように構成し、前記底面部を、前記主体部材の前後と左右から適宜に緩傾斜する斜面に形成し、該斜面の底に排水孔を設けてなる養液土耕栽培用プランターを提供するものである。
【０００７】
請求項２の発明は、本発明に係る主体部材を継ぎ足す長さを任意に選択できるようにしたことを特長とするもので、例えば、最小規模では１個ないしは数個の主体部材を用いて家庭におけるガーデニング用とか屋上緑化用に養液土耕栽培をできるようにする。また、大規模では、専門的に農業として使用でき、経営管理が容易で維持費のコストダウンができる養液土耕栽培を取り入れられるようにする。
【発明の効果】
【０００８】
本発明に係る養液土耕栽培用プランターは、プランター内に収容した耕土に養液を潅水するので、常時養液を循環させる水耕栽培に比べて養液の消費量が小量で済みランニングコストが少ない。また、余剰の養液は底面に具えた排水孔から排出されるので、プランター内の潅水状態を良好に維持できる一方で、排出された養液を集めて再利用できるようにすることも容易である。
【発明を実施するための最良の形態】
【０００９】
合成樹脂を素材として、底面部と、底面部の両側にそれぞれ連なって外側面にリブを配置した側面部と、側面部の上端の外側にそれぞれ連なる上縁部とを一体に形成し、両端部を開放して適宜の深さと長さを有する溝状の主体部材を成形し、この主体部材の一端に一方の連結手段を設け、他端に、上記連結手段に連結される他方の連結手段を設けて、上記連結手段とそれぞれ一致する連結手段を両端に具えた同形の主体部材を長さ方向に継ぎ足せるように構成し、前記底面部を、前記主体部材の前後と左右から適宜に緩傾斜する斜面に形成し、該斜面の底に排水孔を設けた養液土耕栽培用プランター。
【実施例】
【００１０】
以下に本発明の実施例を説明する。
図１は、本発明に係る主体部材の斜視図、図２は、実施例の使用状態を示す一部切欠縦断立面図である。
【００１１】
図において、１は、底面部２と、外側面にリブ４を配置して底面部２の両側に連なる側面部３と、側面部３の上端の外側にそれぞれ連なる上縁部５とを一体形成して、両端部を開放した適宜の深さと長さを有する溝状の主体部材、６は、主体部材１の一端に形成した縦溝と突条との組み合せからなる連結手段、７は、主体部材１の他端に形成したねじ孔と図示省略のボルト・ナットとの組合わせからなる他方の連結手段、８は、同じく端部に設けられ、図２に示すように、底面部２の端部に重ね合わされる重ね合わせ部である。
【００１２】
主体部材１の底面部２は、前後と左右から適宜に緩傾斜する斜面に形成され、該斜面の底に排水孔９を具えている。
この排水孔９は、図２に示すように、主体部材１の下部に配管した排水パイプ１０に接続することによって、主体部材１に潅水した余剰の水を回収し、主体部材１に供給した養液の余剰分をプランター外に排出させ、再利用できるようにしている。
【００１３】
本発明に係る主体部材１を単体で使うときは、図１中に虚線で示すように、両端の連結手段６および７と重ね合わせ部８を具えた端面部材１１を用意して主体部材１の開放端面を閉鎖する。
また、主体部材１を長さ方向に継ぎ足す場合は、両端に上記連結手段６と７と、重ね合わせ部８とに対応する連結手段６、７、および重ね合わせ部８をそれぞれ具えて、底面部２、側面部３、上縁部５およびリブ４を同形に成形した主体部材１を長さ方向に所望数継ぎ足し、両端の連結手段６および７を介して開放端面を端面部材１１で閉鎖して養液土耕栽培を行なう。
【００１４】
主体部材１内には、通常の養液土耕栽培と同様に栽培土を収容し、トマトとか茄子などを植え、通常の植栽と同様に潅水とともに養液を供給する。
なお、主体部材１の設置高さは、作業上と地形に合わせて高低任意である。
【産業上の利用可能性】
【００１５】
本発明の実施に際し、主体部材１の素材には、例えば、Ｐ．Ｐを用いる外、家庭等の流通経路から回収したプラスチックの再生材とかカーダストを使用することが考えられる。
また、主体部材１を長さ方向に連結する連結手段は、縦溝と突条との組み合せまたはねじ孔とボルト・ナットとの組み合せに限らず、一般慣用の手段の中から適宜な連結手段を選択できる。
また、主体部材１を設置する場所は、前述のように家庭におけるガーデニング用とか屋上緑化用などに用いられるほか、大規模には、専門的な農業経営に養液土耕栽培を採用する場合にも好適する。
【図面の簡単な説明】
【００１６】
【図１】本発明に係る主体部材の斜視図である。
【図２】実施例の使用状態を示す一部切欠縦断立面である。
【符号の説明】
【００１７】
１  主体部材
２  底面部
３  側面部
４  リブ
５  上縁部
６  連結手段
７  連結手段
８  重ね合わせ部
９  排水孔
１０  排水パイプ
１１  端面部材
【図１】
2005245264.tif 000003
【図２】
2005245264.tif 000004